(57)【要約】【課題】  収納家具の扉材又は引出し表面材の開閉時に用いる取っ手を面材から突出させない構造を提供すること。代表的な家具としてシステムキッチンが挙げられる。【解決手段】  所定の厚みを有する複合化粧板或いは無垢の単板から成る扉材または引出し表面材の周辺端部の少なくとも一部の裏面側に切欠き面を形成して取っ手部と成し、該取っ手部に指先をかけて引き出すことにより扉或いは引出しの開閉を行う。該取っ手部は扉材または引出し材の表面側からは視認出来ない位置に形成する。前記切欠き面の断面形状は扉材または引出し表面材の各表面に対して９０°未満の鋭角の傾斜面であり、また該傾斜面を凹状の曲面で形成してもよい。更には略Ｌ字型になるように切欠き面を形成し同形の押出材または折板を貼着して取っ手とすることもできる。扉の表面材から突出しないので拭き掃除が容易になる。【選択図】図１
2010131274.tif 000002
【特許請求の範囲】
【請求項１】
所定の厚みを有する複合化粧板或いは無垢の単板で構成される扉材または引出し表面材の周辺端部の少なくとも一部の裏面側に切欠き面を形成して取っ手部と成し、該取っ手部に指先をかけて引出すことにより扉或いは引出しの開閉を行うことを特徴とする収納家具の開閉構造。
【請求項２】
前記切欠き面の断面形状は扉材または引出し表面材の各表面に対して９０°未満の鋭角の傾斜面であることを特徴とする請求項１に記載の収納家具の開閉構造。
【請求項３】
前記切欠きの傾斜面に断面形状が鋸歯状または連設された凹若しくは凸状の湾曲面から成る面性状を有する帯材を貼着した請求項１又は２に記載の収納家具の開閉構造。
【請求項４】
前記切欠きによる傾斜面が凹状の曲面で構成された請求項１又は２に記載の収納家具の開閉構造。
【請求項５】
前記切欠き面の断面形状が扉材または引出し表面材の各表面に対して９０°の垂直面であり、該垂直面に断面形状が略Ｌ字型の押出材若しくは折板を貼着した請求項１又は２に記載の収納家具の開閉構造。
【発明の詳細な説明】
【技術分野】
【０００１】
本発明は、戸棚など収納用家具の開閉部材の構造に関し、開閉部材例えば扉材に特段の取っ手を必要としない開閉手段を備えた構造に関する。引出しなどの表面材も含まれる。表面材の前面に突出部が無いので拭き掃除がし易く、また狭い場所では有効面積が広くなり表面材の意匠性を高める効果がある。
【背景技術】
【０００２】
近年扉材の意匠性を向上させるために透明樹脂板の裏面に絵柄層を設け、透明樹脂板を通して見える深みのある絵柄層を有する高光沢の複合化粧板を扉材として使用したシステムキッチンが脚光を浴びている。システムキッチンは複数の扉材或いは引出しの面材が使用され、意匠としてはモノカラー仕上げが多く、印刷又は塗装により絵柄層が設けられており、部分的に木目調の扉材が使用される場合もある。扉の開閉或いは引出しの出し入れには取っ手が用いられているのが一般的である。開閉部材の構成は芯材に約１５ｍｍ厚のパーティクルボードを使用し、その両面に約２ｍｍ厚の樹脂板を貼着し周面をエッジバンドで覆う複合構造が主体である。
【０００３】
本発明では、比較的収納箇所が多く調理する人の動線が収納箇所に沿って現れるシステムキッチンを例に挙げて説明するが収納家具はこれに限定されるものではない。システムキッチンの開閉部材はその前面の意匠にモノカラー仕上げのほか、印刷による種々の模様仕上げ或いは木目調仕上げなどがあり清潔感と簡素な雰囲気が求められるので突出した取っ手を排除したことによる利点は大きい。
【０００４】
システムキッチンの概要を図５に示す。２０は一般的なシステムキッチンの正面図であり、複数の扉材或いは引出しの面材として複合化粧板が用いられている。２１は扉材であり単色の化粧層を有する鏡面仕上げの複合化粧板であり、２２は引出しでその表面材は同様の化粧面を形成している。取っ手は面材から突出した構造で、複数個取着されているが大略同じデザインである。他の諸設備として、２５はオーブンであり、２６はガスコンロ、２７はタイル壁、２８はレンジフードである。
【０００５】
前記取っ手の構造の一例を図６に示す。（ａ）図は棒材を屈曲させた取っ手２３であり、端部は扉材２１を貫通して裏面側で螺着されている。同（ｂ）図は他の実施態様であり、引出しの表面材２２の上方端部に断面形状が略Ｃ字型の取っ手２４が取着されており、開口部から指先を挿入して引っ張る様になっている。表面材から突出した構造ではないが、正面から視認できる構造である。
【特許文献１】特開２００７−１５２０８７号公報
【発明の開示】
【発明が解決しようとする課題】
【０００６】
戸棚など収納家具の開閉部材、例えば扉材に特段の取っ手を必要としない開閉手段を備えた構造を提供する。引出しなどの表面材も含まれる。表面材の前面に突出部が無いので拭き掃除がし易く、また狭い場所では有効面積が広くなり表面材の意匠性を高める効果がある。
【課題を解決するための手段】
【０００７】
所定の厚みを有する複合化粧板或いは無垢の単板から成る扉材または引出し表面材の周辺端部の少なくとも一部の裏面側に切欠き面を形成して取っ手部と成し、該取っ手部に指先をかけて引き出すことにより扉或いは引出しの開閉を行うことを特徴としている。扉材または引出し材の表面側からは視認出来ない位置に切欠き面を形成する。
【０００８】
前記切欠き面の断面形状は扉材または引出し表面材の各表面に対して９０°未満で鋭角の傾斜面であることを特徴としている。また該切欠き面が凹状の曲面で形成される場合もあり、更には断面形状が略Ｌ字型になるように切欠き面を形成する。断面形状がＬ字型に切欠きを行う場合は、同形の断面形状を有するアルミニウム合金製押出材または折板を貼着して補強することができる。
【０００９】
前記切欠きを行った面には断面形状が鋸歯状或いは連設された凹又は凸状の湾曲面から成る面性状を有する帯材を貼着して指先の定着性を向上させる。前記帯材の材質は樹脂製若しくは腐食性の少ないアルミニウム合金製などが好ましく使用される。
【００１０】
本発明の切欠き面で形成される取っ手部を備えた扉材或いは引出し表面材は木質の芯材の両面に樹脂板を貼着した複合化粧板が好ましい。切欠き部分は応力が集中し易い傾向にあるが、２ｍｍ厚程度の樹脂板は応力に耐えることができるから、きり欠き部から割れが発生するのを防止することができる。また芯材としては木質系のパーティクルボードが好ましい。パーティクルボードは繊維の方向が一定ではないのでひび割れが生じにくい特徴がある。また、前記芯材の表面側に貼着される樹脂板は顔料を含んだ不透明な樹脂板或いは透明樹脂板を用いてその裏面側に印刷若しくは塗膜による隠蔽層を形成するとよい。切欠き部分が視認出来ないこと及び表面の意匠性に影響を与えない利点がある。樹脂板の材質としてはアクリル、ポリカーボネート、ＡＢＳ等の各樹脂製が好ましい。
【発明の効果】
【００１１】
本発明の扉材或いは引出し表面材は開閉部材として特段の取っ手を使用していないので表面側に突出部分がないため、多数の扉或いは引出しが連設されたシステムキッチンに用いると調理する人の動線を妨げない利点があり、狭い場所では有効面積が拡大する。また開閉部材としての意匠面を阻害することがないので簡素にして広がりのある化粧面を構成し拭き掃除もし易い。収納を目的とする家具類に広く利用できる。
【発明を実施するための最良の形態】
【００１２】
収納を目的とする家具類の扉材または引出し材の周辺部端面の少なくとも一部に切欠き面を形成して取っ手部と成し、該切欠き面に断面形状が鋸歯状若しくは凹又は凸状の湾曲面を連接した面性状を有する帯材を貼着して指先の定着性を向上させる。切欠き部の断面形状は斜面、凹面または略Ｌ字型などが用いられる。  
【実施例１】
【００１３】
図１は、システムキッチンの収納棚１の一部を示す斜視図である。２は両開きの扉材であり片方の扉材を矢印Ａの方向に蝶番３の軸支により開閉する。４は扉材の下方端部裏面側に設けた取っ手部であり、矢印Ｂの方向へ指先を掛けて引っ張り扉材２を開くことができる。他方の扉材は閉じた状態を示す。一点鎖線で囲まれたＣ部分を拡大して図２に示す。扉材２は複合化粧板であり、芯材５は厚さ１５ｍｍのパーティクルボードで、表面側に２ｍｍ厚の透明なアクリル樹脂板６を、裏面側に白色のＡＢＳ樹脂板７を貼着している。８は絵柄層で透明アクリル樹脂板の裏面側に塗装され隠蔽性がある。貼着は接着剤が用いられる。扉材２の下方端部に４５°の角度で切欠き面９を加工し、鋸歯状の面性状を有する帯材１０を前記切欠き面９の上に貼着する。該切欠き面は扉材表面側のアクリル樹脂板６に到達しない範囲で行ってもよい。前記切欠き面の表面側アクリル樹脂板に対する角度は９０°未満であればよく特に限定されないが３０°〜５０°の範囲が好ましい。
【実施例２】
【００１４】
取っ手部４の別の実施形態を図３にそれぞれ断面図で示す。（ａ）図は、図２で示した鋸歯状の面性状を有する帯材１０を示す。透明アクリル樹脂板６の表面と切欠き面の成す角度θは３０°〜５０°の範囲が好ましい。（ｂ）図は凸状の湾曲面を連設した面性状の帯材１０ａを示し、（ｃ）図は凹状の湾曲面から成る帯材１０ｂを示す。（ｄ）図は切欠き面が凹状の曲面で形成され、鋸歯状の面性状を有する帯材１０ｃを前記切欠き面に貼着している。この場合の帯材の面性状は前記（ｂ）及び（ｃ）図に示した帯材も使用される。指先の定着性が改善された構造である。
【実施例３】
【００１５】
図４（ａ）図において、扉材２ｂの構成は扉材２と同様であるが、取っ手部４ｂにおける切欠き面９ｂの角度が透明アクリル樹脂板６の表面に対して直角方向に切り込み、切欠き面９ｂを直角に形成し、芯材５の厚みを寸法ｔだけ残している。ｔの寸法は１乃至２ｍｍである。透明アクリル樹脂板の裏面側に形成した絵柄層８に損傷を与えないためと前記樹脂板の補強を行っている。本例では前記帯材に代えて断面略Ｌ字型のアルミニウム製の押出材１１ａを用いている。外側は直角面であるが内側は交差面の一部が曲面である。芯材の一部を厚さｔだけ残したので全体としては指先を挿入する部分が狭くなる。この欠点を解消した実施態様例を同（ｂ）図に示す。扉材２ｃの構成は扉材２と同様であるが、作成要領としては種々考えられる。一例として芯材５に予め直角の切欠き面９ｃを形成して押出材１１ｂを貼着しその後透明アクリル樹脂板６及び白色の樹脂板７を貼着する場合と、芯材に貼着する透明アクリル樹脂板６を芯材より長いサイズで貼着しその後に押出材１１ｂを貼着する場合である。これらの方法では取っ手部４ｃの奥行き寸法が前記ｔ寸法だけ深くなる。扉材の反りを防止するためには両面の樹脂板を同時に芯材に貼るのが好ましい。
【産業上の利用可能性】
【００１６】
システムキッチンの扉材或いは引出しの表面材の開閉時には差ほど大きな力を与える必要もなく、特段の取っ手を必要としないので本発明の切欠き面で成る取っ手部は突出部を構成しない利点があり、拭き掃除がし易く正面側から視認されない。手狭な調理場の有効面積が広くなる。収納を目的とする他の戸棚或いは引出しにも広く利用される。
【図面の簡単な説明】
【００１７】
【図１】収納棚の一部を示す斜視図である。（実施例１）
【図２】扉材の開閉を行う取っ手部の構造を示す拡大斜視図である。（実施例１）
【図３】取っ手部の他の実施態様を示す断面図であり、（ａ）図は切欠き面に鋸歯状の帯材を、（ｂ）図は凸状の湾曲面を有し、（ｃ）図は凹状の湾曲面を有する帯材を貼着している。（ｄ）図は切欠き面が凹状の曲面で形成され帯材を面形状に合致させて貼着した断面図である。（実施例２）
【図４】（ａ）図は９０°の切欠き部を示す斜視図であり、（ｂ）図は他の実施態様を示す斜視図である。（実施例３）
【図５】システムキッチンの一例を示す正面図である。
【図６】（ａ）図は取っ手の一例を示す斜視図であり、（ｂ）図は他の実施態様を示す斜視図である。
【符号の説明】
【００１８】
１  収納棚
２  扉材
３  蝶番
４  取っ手部
５  芯材
６  透明アクリル樹脂板
７  白色樹脂板
８  絵柄層
９  切欠き面
１０  帯材
１１  押出材
２０  システムキッチン
２１  扉材  
２２  引出し
２３  取っ手
【図１】
2010131274.tif 000003
【図２】
2010131274.tif 000004
【図３】
2010131274.tif 000005
【図４】
2010131274.tif 000006
【図５】
2010131274.tif 000007
【図６】
2010131274.tif 000008